(57)【特許請求の範囲】
【請求項１】
被検体の指紋に対し当該被検体の指紋表面とは反対側の爪側上部から光が当該被検体を透過する光路長が異なるように照射角度が異なる透過光を照射するための複数の光源と、
被検体の指紋表面を非接触状態で支持する被検体支持部と、
前記被検体支持部に支持された前記被検体の指紋を透過する照射角度の異なる前記複数の光源を１個ずつ順次点灯して前記被検体を透過した透過光を読取り当該被検体の指紋に対応する複数の指紋画像を得る撮像手段と、
前記撮像手段からの複数の指紋画像を画像処理してコントラストが最も良い指紋画像を選択して個人識別する信号処理部と
を備えた個人識別装置。
【請求項２】
被検体の指紋に対し当該被検体の指紋表面とは反対側の爪側上部から透過光を照射するための光源と、
被検体の指紋表面を非接触状態で支持すると共に、指先を置くと下に下がる可動部と、当該可動部が一定範囲以下に下がったことを検出するセンサー部とを有し、前記センサー部が一定範囲以下に下がったことを検出するまで前記光源との距離を順次可変とする可動式の被検体支持部と、
前記光源との距離を順次可変とした前記被検体支持部に支持された前記被検体の指紋を透過する前記光源からの光を撮像して指紋に対応する複数の指紋画像を得る撮像手段と、  前記撮像手段からの複数の指紋画像を画像処理してコントラストが最も良い指紋画像を選択して個人識別する信号処理部と
を備えた個人識別装置。
【発明の詳細な説明】
【技術分野】
【０００１】
この発明は、個人識別装置に関し、特に、個人の生体情報である指紋画像を安定して得ることで個人識別の性能の性能を向上させるための個人識別装置に関する。
【背景技術】
【０００２】
従来、この種の個人識別装置として、被検体の指紋表面を非接触状態で支持し、爪側から透過光を照射して指紋画像を撮像する個人識別装置がある（例えば、特許文献１参照）。また、指の表面の包絡面に対してほぼ垂直に照明光を照射し、回転走査して指紋パターンを撮像する指紋像入力装置がある（例えば、特許文献２参照）。
【０００３】
【特許文献１】特開２００３−８５５３８号公報
【特許文献２】特開平６−１７６１３６号公報
【発明の開示】
【発明が解決しようとする課題】
【０００４】
しかしながら、従来の個人識別装置は、個人毎の指の厚さや形状の異なりに対応するものでなかった。
【０００５】
この発明は、上述した点に鑑みてなされたもので、個人毎の指の厚さや形状の異なっていても最もコントラストの良い指紋画像を得て個人識別することができる個人識別装置を得ることを目的とする。
【課題を解決するための手段】
【０００６】
この発明に係る個人識別装置は、被検体の指紋に対し当該被検体の指紋表面とは反対側の爪側上部から光が当該被検体を透過する光路長が異なるように照射角度が異なる透過光を照射するための複数の光源と、被検体の指紋表面を非接触状態で支持する被検体支持部と、前記被検体支持部に支持された前記被検体の指紋を透過する照射角度の異なる前記複数の光源を１個ずつ順次点灯して前記被検体を透過した透過光を読取り当該被検体の指紋に対応する複数の指紋画像を得る撮像手段と、前記撮像手段からの複数の指紋画像を画像処理してコントラストが最も良い指紋画像を選択して個人識別する信号処理部とを備えたものである。
【０００７】
また、他の発明に係る個人識別装置は、被検体の指紋に対し当該被検体の指紋表面とは反対側の爪側上部から透過光を照射するための光源と、被検体の指紋表面を非接触状態で支持すると共に、指先を置くと下に下がる可動部と、当該可動部が一定範囲以下に下がったことを検出するセンサー部とを有し、前記センサー部が一定範囲以下に下がったことを検出するまで前記光源との距離を順次可変とする可動式の被検体支持部と、前記光源との距離を順次可変とした前記被検体支持部に支持された前記被検体の指紋を透過する前記光源からの光を撮像して指紋に対応する複数の指紋画像を得る撮像手段と、前記撮像手段からの複数の指紋画像を画像処理してコントラストが最も良い指紋画像を選択して個人識別する信号処理部とを備えたものである。
【発明の効果】
【０００８】
この発明によれば、指先の形状・太さ等の個人差によらず安定した透過画像が得られ、最もコントラストの良い指紋画像を得て個人識別することができる。
【発明を実施するための最良の形態】
【０００９】
実施の形態１．
図１は、この発明の実施の形態１に係る個人識別装置の構成を示すブロック図である。図１に示される個人識別装置は、指紋を有する被検体である指１の爪側に対し照射角度が異なる透過光を照射するための複数の光源３１〜３３を有する光源３と、指１の指紋表面を非接触状態で支持する指支持部２Ａ，２Ｂと、指支持部２Ａ，２Ｂに支持された指１の指紋を透過する照射角度の異なる複数の光源３１〜３３からの光を撮像して指紋に対応する複数の指紋画像を得る撮像部４と、前記撮像部４からの複数の指紋画像を画像処理してコントラストが最も良い指紋画像を選択して個人識別する信号処理部５とを備えており、前記光源３１〜３３の光軸は、少しづつ角度を変えて設置されている。
【００１０】
ここで、前記撮像部４としては、指１を透過した光の光強度分布を得るための結像レンズ４１及び例えば２次元固体撮像素子（ＣＣＤ、ＣＭＯＳイメージセンサ）でなる撮像素子４２と、撮像素子４２からの光強度分布に応じた電気信号を入力し、指紋画像を画像信号として出力する画像出力回路４３とを有する。
【００１１】
次に、上記構成に係る個人識別装置の動作について説明する。指１が指支持部２Ａ，２Ｂに置かれたことを検知すると、まず始めに、光源３１を点灯し、指１を透過した透過光を撮像部４で読み取り、指紋画像を信号処理部５で処理する。次に、光源３２を点灯し、同様にして指紋画像を採取する。さらに、最後に、光源３３を点灯し、同様にして指紋画像を採取する。
【００１２】
上述したようにして採取された３枚の指紋画像は、信号処理部５に入力され、信号処理部５において、コントラストの最もよい画像が選択され、指紋の登録・照合用に使用される。
【００１３】
したがって、実施の形態１によれば、照射角度の異なる複数の光源３１〜３３を順次点灯させて指紋画像を撮像するようにしたので、指先の形状・太さ等の個人差によらず安定した透過画像が得られ、最もコントラストの良い指紋画像を得て個人識別することができる。
【００１４】
実施の形態２．
図２は、この発明の実施の形態２に係る個人識別装置の構成を示すブロック図である。図２に示される個人識別装置において、図１に示す構成と同一部分は同一符号を付してその説明は省略する。図２に示す実施の形態２においては、光源３は、単一の光源でなり、指支持部２Ａ，２Ｂは、光源３との距離を順次可変とする可動式の指支持部でなる点が、図１に示す実施の形態１と異なる。
【００１５】
ここで、指支持部２Ａ，２Ｂは、図２の指支持部２Ａに示すように、指先を置くと下に下がる可動部２１と、可動部２１が一定値以下に下がったことを検出するセンサー部２２とで構成されている。
【００１６】
そして、撮像部４は、可動する指支持部２Ａ，２Ｂに支持された指１の指紋を透過する光源３からの光を撮像して指紋に対応する複数の指紋画像を得るようになされ、信号処理部５は、撮像部４からの複数の指紋画像を画像処理してコントラストが最も良い指紋画像を選択して個人識別するようになされている。
【００１７】
次に、上記構成に係る個人識別装置の動作について説明する。指支持部２Ａ，２Ｂに指１が置かれたことを検知すると、光源３を点灯し、指１を透過した透過光をレンズ４１やＣＣＤ４２などのセンサーで構成された撮像部４で読み取り、その画像は信号処理部５に送られる。
【００１８】
次に、指１を指支持部２Ａ，２Ｂに置くことで、指支持部２Ａ，２Ｂの指先部分の可動部２１が少しずつ下にさがってくる。このとき、同様にして、一定間隔で順次透過光を撮像部４で読み取り、その画像は、信号処理部５へ送られる。
【００１９】
この動作は、可動部２１が一定範囲以下に下がったことをセンサー部２２が検出するまで繰り返す。信号処理部５では、送られてきた画像の中でコントラストが最もよい画像が選択され、指紋の登録・照合用に使用される。
【００２０】
なお、図２に示す実施の形態２では、可動部２１の構成として、バネによる実施の形態を示したものであるが、モータによる可動部の駆動などに置き換えてもよい。
【００２１】
従って、実施の形態２によれば、指支持部２Ａ，２Ｂを、光源３との距離を順次可変とする可動式の指支持部で構成し、指を置いたときに指先で押し下げる操作により、画像を連続撮像するようにしたので、指先の形状・太さ等の個人差によらず安定した透過画像が得られ、最もコントラストの高い画像を登録・照合用に採用することにより、簡単にかつ低コストで高性能な装置を構成することができる。
【図面の簡単な説明】
【００２２】
【図１】この発明の実施の形態１に係る個人識別装置の構成を示すブロック図である。
【図２】この発明の実施の形態２に係る個人識別装置の構成を示すブロック図である。
【符号の説明】
【００２３】
１  指、２Ａ，２Ｂ  指支持部、３，３１〜３３  光源、４  撮像部、５  信号処理部。
【図１】
0004629590.tif 000002
【図２】
0004629590.tif 000003